(57)【要約】【課題】水受け装置の施工性を向上でき、水受け装置の破損、外れ及び位置ずれを抑制できる、水受け装置、水受け装置取り付け方法、及び、水受け装置取り付け構造を、提供する。【解決手段】この発明の水受け装置は、浴槽の側壁に形成される貫通孔からの漏水を受け止めるための水受け装置であって、浴槽の側壁の側壁外面に取り付けられる土台と、上側が開放した水受け空間を区画し、土台に係合可能に構成された、水受け本体と、を備え、土台は、浴槽の側壁外面に取り付けられる平板状の取付部と、取付部から、取付部に対して浴槽とは反対側に連続する、土台係合部と、を有し、水受け本体は、土台係合部に上側から係合できるように構成された本体係合部を有している。【選択図】図２
2018054273.tif 000002
【特許請求の範囲】
【請求項１】
浴槽の側壁に形成される貫通孔からの漏水を受け止めるための水受け装置であって、
前記浴槽の前記側壁の側壁外面に取り付けられる土台と、
上側が開放した水受け空間を区画し、前記土台に係合可能に構成された、水受け本体と、
を備え、
前記土台は、
前記浴槽の前記側壁外面に取り付けられる平板状の取付部と、
前記取付部から、前記取付部に対して前記浴槽とは反対側に連続する、土台係合部と、
を有し、
前記水受け本体は、前記土台係合部に上側から係合できるように構成された本体係合部を有している、水受け装置。
【請求項２】
前記土台係合部は、上側を向いたフック状に構成され、
前記本体係合部は、下側が開放された溝を区画している、請求項１に記載の水受け装置。
【請求項３】
前記水受け本体は、前記水受け本体が前記土台に係合した状態において、前記土台の上側で前記浴槽側に突出する、浴槽接触部を有しており、
前記水受け本体が前記土台に係合した状態において、前記浴槽接触部の前記浴槽側の面は、前記取付部の前記浴槽側の面と面一となることで、前記浴槽の前記側壁外面に接触し得るようにされている、請求項１又は２に記載の水受け装置。
【請求項４】
前記土台が前記浴槽の前記側壁外面に取り付けられ、かつ、前記水受け本体が前記土台に係合した状態において、前記浴槽の前記側壁外面のうち、前記土台に対向する側壁外面部分は、鉛直方向に対して傾斜しており、前記水受け本体の上側開放端面は略水平である、請求項１〜３のいずれか一項に記載の水受け装置。
【請求項５】
前記土台が前記浴槽の前記側壁外面に取り付けられ、かつ、前記水受け本体が前記土台に係合した状態において、前記浴槽の前記側壁の壁厚方向に沿う鉛直断面を観たときに、前記水受け本体の前記水受け空間は、
前記水受け本体の上側開放端面からの深さが一定である、深さ一定部と、
前記深さ一定部における前記浴槽から遠いほうの端部から連続するとともに、前記浴槽から遠ざかるにつれて徐々に前記上側開放端面からの深さが浅くなる、深さ漸減部と、
を有している、請求項１〜４のいずれか一項に記載の水受け装置。
【請求項６】
前記水受け本体が前記土台に係合した状態において、前記本体係合部と前記土台係合部との間には隙間が形成されるようにされており、これにより、接着剤が前記隙間に入り込むことができるようにされている、請求項１〜５のいずれか一項に記載の水受け装置。
【請求項７】
前記土台の前記取付部は、前記取付部を貫通する開口を有しており、
前記水受け本体が前記土台に係合した状態において、前記水受け本体の一部は、前記取付部の前記開口と対向する、請求項１〜６のいずれか一項に記載の水受け装置。
【請求項８】
前記水受け本体は、前記水受け本体の左右両側に、排水通路を有している、請求項１〜７のいずれか一項に記載の水受け装置。
【請求項９】
前記土台係合部及び前記本体係合部のうち少なくとも一方は、前記水受け本体が前記土台に係合した状態において、前記本体係合部が前記土台係合部に対して前記水受け本体の左右方向に移動するのを規制できるように構成されている、請求項１〜８のいずれか一項に記載の水受け装置。
【請求項１０】
前記浴槽の前記側壁に形成される前記貫通孔は、前記水受け装置の上側に形成されて、追焚き循環金具が取り付けられるためのものである、請求項１〜９のいずれか一項に記載の水受け装置。
【請求項１１】
請求項１〜１０のいずれか一項に記載の水受け装置を、前記浴槽の前記側壁の側壁外面に取り付けるための、水受け装置取り付け方法であって、
前記浴槽の施工現場への納入前において、前記土台の前記取付部を、前記浴槽の前記側壁外面に取り付ける、工程と、
前記浴槽の施工現場において、前記本体係合部を前記土台係合部に上側から係合させることによって、前記水受け本体を前記土台に取り付ける、工程と、
を含む、水受け装置取り付け方法。
【請求項１２】
浴槽の側壁と、
前記浴槽の前記側壁に取り付けられているとともに、前記浴槽の前記側壁に形成される貫通孔からの漏水を受け止めるように構成された、水受け装置と、
を備えた、水受け装置取り付け構造であって、
前記浴槽の前記側壁のうち、前記水受け装置に対向する側壁部分は、外面が平坦面であり、内面が曲面である、水受け装置取り付け構造。
【発明の詳細な説明】
【技術分野】
【０００１】
この発明は、浴槽の側壁に形成される貫通孔からの漏水を受け止めるための水受け装置、水受け装置取り付け方法、及び、水受け装置取り付け構造に関するものである。
【背景技術】
【０００２】
従来より、例えば工場又は施工現場で浴槽の側壁に取り付けられ、浴槽の側壁に形成される貫通孔からの漏水を受け止めるように構成された、上面が開放された箱型の水受けが知られている。このような水受けにおいては、施工現場で水受けを接着により浴槽側壁に取り付ける場合は、接着が完全に硬化する前に、浴槽の立て起こしや他の工事を実施する際に、水受けへのぶつかり等の衝撃が加わって水受けが浴槽から落下、破損又は位置ずれするおそれなどがある。また、工場で水受けを浴槽側壁に取り付ける場合、安定した施工や十分な接着の硬化時間の確保が可能であるものの、その後の輸送時において水受けが浴槽側壁から大きく出っ張った状態となるので、輸送時のぶつかり等で水受けが落下又は破損するおそれなどがある。
このような問題に着目した技術として、工場で浴槽の側壁に土台（受材）が取り付けられ、施工現場で土台に水受け本体（水受け）が取り付けられ、浴槽の側壁に形成される貫通孔からの漏水を水受け本体によって受け止めるようにされた、構造がある（例えば、特許文献１）。特許文献１では、水受け本体は、土台に締結されることによって、あるいは、浴槽に近づく方向に土台に装着されると土台の左右両側の規制片によって弾性的に保持されることによって、土台に取り付けられる。
【先行技術文献】
【特許文献】
【０００３】
【特許文献１】特開2000-88357号公報
【発明の概要】
【発明が解決しようとする課題】
【０００４】
しかし、特許文献１のような水受け装置では、例えば水受け本体を土台に取り付ける際等の施工性が十分に良好ではなく、また、例えば輸送時や施工時等に受けうる衝撃に対して土台又は水受け本体が破損したり外れたり所期した位置から位置ずれしたりし易い、などといった問題があった。
【０００５】
この発明は、上述した課題を解決するためのものであり、水受け装置の施工性を向上でき、水受け装置の破損、外れ及び位置ずれを抑制できる、水受け装置、水受け装置取り付け方法、及び、水受け装置取り付け構造を、提供することを目的とするものである。
【課題を解決するための手段】
【０００６】
本発明の水受け装置は、浴槽の側壁に形成される貫通孔からの漏水を受け止めるための水受け装置であって、前記浴槽の前記側壁の側壁外面に取り付けられる土台と、上側が開放した水受け空間を区画し、前記土台に係合可能に構成された、水受け本体と、を備え、前記土台は、前記浴槽の前記側壁外面に取り付けられる平板状の取付部と、前記取付部から、前記取付部に対して前記浴槽とは反対側に連続する、土台係合部と、を有し、前記水受け本体は、前記土台係合部に上側から係合できるように構成された本体係合部を有している。
本発明の水受け装置によれば、水受け装置の施工性を向上でき、水受け装置の破損、外れ及び位置ずれを抑制できる。
【０００７】
本発明の水受け装置において、前記土台係合部は、上側を向いたフック状に構成され、前記本体係合部は、下側が開放された溝を区画していると、好適である。
この構成によれば、水受け装置の施工性を向上でき、水受け装置の破損、外れ及び位置ずれを抑制できる。
【０００８】
本発明の水受け装置において、前記水受け本体は、前記水受け本体が前記土台に係合した状態において、前記土台の上側で前記浴槽側に突出する、浴槽接触部を有しており、前記水受け本体が前記土台に係合した状態において、前記浴槽接触部の前記浴槽側の面は、前記取付部の前記浴槽側の面と面一となることで、前記浴槽の前記側壁外面に接触し得るようにされていると、好適である。
この構成によれば、漏水をより確実に受け止めることができる。
【０００９】
本発明の水受け装置において、前記土台が前記浴槽の前記側壁外面に取り付けられ、かつ、前記水受け本体が前記土台に係合した状態において、前記浴槽の前記側壁外面のうち、前記土台に対向する側壁外面部分は、鉛直方向に対して傾斜しており、前記水受け本体の上側開放端面は略水平であると、好適である。
この構成によれば、水受け本体の上側開放端面の面積を一定で考えたときに、水受け本体の上側開放端面が略水平でない場合に比べて、水受け容量をより大きく確保できるので、漏水をより確実に受け止めることができる。
【００１０】
本発明の水受け装置において、前記土台が前記浴槽の前記側壁外面に取り付けられ、かつ、前記水受け本体が前記土台に係合した状態において、前記浴槽の前記側壁の壁厚方向に沿う鉛直断面を観たときに、前記水受け本体の前記水受け空間は、前記水受け本体の上側開放端面からの深さが一定である、深さ一定部と、前記深さ一定部における前記浴槽から遠いほうの端部から連続するとともに、前記浴槽から遠ざかるにつれて徐々に前記上側開放端面からの深さが浅くなる、深さ漸減部と、を有していると、好適である。
この構成によれば、水受け容量の低下を抑制しつつ、水受け装置を外れにくくすることができる。
【００１１】
本発明の水受け装置において、前記水受け本体が前記土台に係合した状態において、前記本体係合部と前記土台係合部との間には隙間が形成されるようにされており、これにより、接着剤が前記隙間に入り込むことができるようにされていると、好適である。
この構成によれば、例えば、本体係合部及び土台係合部の少なくとも一方に接着剤を塗布してから両者を係合させれば、接着剤が本体係合部と土台係合部との間の隙間に入り込むことができるので、水受け本体の土台への接続強度、ひいては水受け装置と浴槽との接続強度を、向上できる。
【００１２】
本発明の水受け装置において、前記土台の前記取付部は、前記取付部を貫通する開口を有しており、前記水受け本体が前記土台に係合した状態において、前記水受け本体の一部は、前記取付部の前記開口と対向すると、好適である。
この構成によれば、例えば、水受け本体、土台、及び浴槽の少なくともいずれかにおける上記開口の近傍部分に接着剤を塗布してから水受け本体を土台に係合させれば、接着剤が開口内に入り込んで水受け本体、土台、及び浴槽どうしを接着させることができるので、水受け装置と浴槽との接続強度を向上できる。
【００１３】
本発明の水受け装置において、前記水受け本体は、前記水受け本体の左右両側に、排水通路を有していると、好適である。
この構成によれば、施工現場において両側の排水通路のうち使い勝手のよい方の排水通路のみを選択して使用することができる。
【００１４】
本発明の水受け装置において、前記土台係合部及び前記本体係合部のうち少なくとも一方は、前記水受け本体が前記土台に係合した状態において、前記本体係合部が前記土台係合部に対して前記水受け本体の左右方向に移動するのを規制できるように構成されていると、好適である。
この構成によれば、水受け本体が土台に対して左右方向に位置ずれしにくくなる。
【００１５】
本発明の水受け装置において、前記浴槽の前記側壁に形成される前記貫通孔は、前記水受け装置の上側に形成されて、追焚き循環金具が取り付けられるためのものであるとよい。
【００１６】
本発明の水受け装置取り付け方法は、上記の水受け装置を、前記浴槽の前記側壁の側壁外面に取り付けるための、水受け装置取り付け方法であって、前記浴槽の施工現場への納入前において、前記土台の前記取付部を、前記浴槽の前記側壁外面に取り付ける、工程と、前記浴槽の施工現場において、前記本体係合部を前記土台係合部に上側から係合させることによって、前記水受け本体を前記土台に取り付ける、工程と、を含む。
本発明の水受け装置取り付け方法によれば、水受け装置の施工性を向上でき、水受け装置の破損、外れ及び位置ずれを抑制できる。
【００１７】
本発明の水受け装置取り付け構造は、浴槽の側壁と、前記浴槽の前記側壁に取り付けられているとともに、前記浴槽の前記側壁に形成される貫通孔からの漏水を受け止めるように構成された、水受け装置と、を備えた、水受け装置取り付け構造であって、前記浴槽の前記側壁のうち、前記水受け装置に対向する側壁部分は、外面が平坦面であり、内面が曲面である。
本発明の水受け装置取り付け構造によれば、例えば、水受け装置の各部品をあらゆる型の浴槽に兼用させることができるようになる。
【発明の効果】
【００１８】
この発明によれば、水受け装置の施工性を向上でき、水受け装置の破損、外れ及び位置ずれを抑制できる、水受け装置、水受け装置取り付け方法、及び、水受け装置取り付け構造を、提供することができる。
【図面の簡単な説明】
【００１９】
【図１】本発明の一実施形態に係る水受け装置を備えたユニットバスを、一部切り欠き断面により示す、斜視図である。
【図２】図１の水受け装置を、土台が浴槽に取り付けられた状態で示す、分解斜視図である。
【図３】図３（ａ）は、図１の水受け装置を、浴槽への取り付け状態で、図１のＡ−Ａ線に沿う断面により示す、水平断面図であり、図３（ｂ）は、図１の水受け装置を、浴槽への取り付け状態で、図１のＢ−Ｂ線に沿う断面により示す、鉛直断面図である。
【図４】図４（ａ）は、図１の水受け装置を上側から観たときの斜視図であり、図４（ｂ）は、図１の水受け装置を下側から観たときの斜視図である。
【図５】図５（ａ）は、本発明の水受け装置の一変形例を浴槽への取り付け状態で示す鉛直断面図であり、図５（ｂ）は、本発明の水受け装置の別の変形例を浴槽への取り付け状態で示す鉛直断面図である。
【発明を実施するための形態】
【００２０】
以下に、図面を参照しつつ、この発明に係る水受け装置、水受け装置取り付け方法、及び、水受け装置取り付け構造の実施形態を例示説明する。
【００２１】
図１〜図４は、本発明の水受け装置、水受け装置取り付け方法、及び、水受け装置取り付け構造の一実施形態を説明するための図である。
図１は、本実施形態の水受け装置４０を備えたユニットバス１を示している。ユニットバス１は、本実施形態の水受け装置４０と、浴槽１０と、洗い場（床パネル）２０と、図示しない壁パネル及び天井パネルと、を備えており、浴室全体を構成している。本例において、浴槽１０及び洗い場２０どうしはエプロン３０により連結されている。浴槽１０及び洗い場２０は、一体に構成されてもよいし、別体に構成されてもよい。本例において、ユニットバス１は、浴槽１０の下側に水受けパンを備えない洗い場付浴槽である。
浴槽１０の側壁１００（浴槽１０の底壁から上側に延在する環状部分。以下、「浴槽側壁１００」ともいう。）には、側壁１００を貫通する貫通孔１１１が形成されている。そして、追焚き循環アダプタ（追焚き循環金具）５０が、貫通孔１１１を介して、浴槽側壁１００に取り付けられている。図１の例では、浴槽１０の側壁１００のうち、洗い場２０側から見て左側の側壁部分１００Ｌに、追焚き循環アダプタ５０が配設されている。追焚き循環アダプタ５０は、吸い込み用の配管と吐き出し用の配管とを介して、浴室外部に設置された追焚き釜（図示省略）に接続されている。水受け装置４０は、貫通孔１１１及び追焚き循環アダプタ５０の下側において、浴槽側壁１００に取り付けられている。
このように追焚き用の配管を浴槽１０の側壁１００に設ける場合、貫通孔１１１の近傍から、漏水が発生する場合がある。浴槽１０の下側に水受けパンを備えない洗い場付浴槽では、貫通孔１１１近傍からの漏水がユニットバスの外部に流れ出るおそれがあり、その場合、床下の湿度が上がったり、床下の部材（根太等）が濡れたり、あるいは、その漏水が下の階に伝わったりするなど、様々な弊害が出るおそれがある。水受け装置４０は、貫通孔１１１の近傍から浴槽側壁１００を伝って流れ落ちる漏水を受け止めて、漏水がスラブ２側に流れ落ちるのを防止するためのものである。水受け装置４０によって受け止められた漏水は、水受け装置４０に接続されたホース６０を通って、エプロン３２に設けられた貫通孔３２へと流れ、そこから洗い場２０に排出される。
【００２２】
エプロン３０には、追焚き循環アダプタ１８等を点検するための点検口３１が設けられている。この点検口３１は、通常時にはカバー（図示省略）で覆われるが、例えば追焚き循環アダプタ５０の施工時や点検時等に、開放される。図１の例では、水受け装置４０が、洗い場２０側から点検口３１を通して見える位置にある。
【００２３】
図２に示すように、水受け装置４０は、浴槽側壁１００の外面１１０ａ（以下、「側壁外面１１０ａ」ともいう。）に取り付けられる土台４１と、上側が開放した漏水を受け止めるための水受け空間Ｓを区画する、水受け本体４２と、を備えている。水受け本体４２は、土台４１に取り付け可能に構成されている。
本実施形態では、土台４１は、施工現場に浴槽１０が納入（搬入）される前の段階（例えば、浴槽１０の製造段階）で、浴槽側壁１００の側壁外面１１０ａに取り付けられる。土台４１を浴槽側壁１００に取り付ける方法は、浴槽１０に孔を空けなくて済むような、両面テープ又は接着剤による接着が好ましいが、ネジによる締結等の他の方法でもよい。その後、浴槽１０は、土台４１が取り付けられた状態で施工現場に輸送される。施工現場では、水受け本体４２が土台４１に取り付けられる。
このように、本実施形態では、水受け装置４０を土台４１と水受け本体４２とに分割して構成し、施工現場への納入前の段階で土台の取り付けを行い、施工現場で水受け本体４２の取り付けを行うようにしている。施工現場において水受け本体４２を土台４１に取り付ける作業は、例えば、ユニットバス１の施工士によって行われる。水受け装置４０の上側での貫通孔１１１の形成や追焚き循環アダプタ５０の施工は、例えば、水受け装置４０の施工完了後に、追焚き業者又は配管業者によって行われる。図２では、貫通孔１１１を破線により示している。
仮に、水受け装置４０を水受け本体４２のみで構成し、浴槽１０の施工現場で水受け装置４０を接着により浴槽側壁１００に取り付ける場合は、接着が完全に硬化する前に、浴槽１０の立て起こしや他の工事を実施する際に、水受け装置４０にぶつかり等の衝撃が加わって水受け装置４０が浴槽１０から落下又は破損するおそれがあり、また、作業環境の悪い中で、安定した施工がしづらく、水受け装置４０が浴槽１０上の所期した位置から位置ずれするおそれがある、といった問題がある。また、仮に、水受け装置４０を水受け装置４０のみで構成し、浴槽１０の施工現場への納入前の段階で水受け装置４０を浴槽側壁１００に取り付ける場合、安定した施工や十分な接着の硬化時間の確保が可能であるものの、その後の輸送時において水受け装置４０が浴槽側壁１００から大きく出っ張った状態となるので、輸送時のぶつかり等で水受け装置４０が落下又は破損するおそれがあり、また、輸送時に浴槽１０どうしを重ねることが難しくなるので、輸送効率が低下する、といった問題がある。
本実施形態では、水受け装置４０を土台４１と水受け本体４２とに分割して構成したので、施工現場への納入前の段階で土台４１の取り付けを行い、施工現場で水受け本体４２の取り付けを行うようにすれば、水受け本体４２よりも薄く構成される土台４１が、浴槽側壁１００からの出っ張りが少ない状態で輸送されるので、輸送時に土台４１が落下又は破損するおそれが低く、また、輸送時に浴槽１０どうしを重ねることも容易となるので、輸送効率に悪影響を与えることがない。また、施工現場では、既に土台４１が浴槽側壁１００にしっかりと固定された状態にあるので、土台４１が落下又は位置ずれするおそれがない。そのため、土台４１を浴槽側壁１００上の所期したとおりの位置に設置できるので、例えば浴槽１０をこれ以上動かさない状況になってから、水受け本体４２を土台４１に取り付けるだけで、水受け装置４０を位置ずれや破損なく施工することが可能となる。
【００２４】
図２に示すように、水受け本体４２は、土台４１に係合可能に構成されている。水受け本体４２は、土台４１に係合されることにより、土台４１に取り付けられる。
土台４１は、例えば、一枚の金属板に切削加工や折り曲げ加工を施して形成される。土台４１は、浴槽１０の側壁外面１１０ａに取り付けられる、平板状の取付部４１１と、取付部４１１から、取付部４１１に対して浴槽１０とは反対側に連続する、土台係合部４１４と、を有している。取付部４１１と土台係合部４１４とは一体に構成されている。取付部４１１は、浴槽１０の側壁外面１１０ａに対して平行に指向された状態で、例えば両面テープを介して、側壁外面１１０ａに対向し、これに固定される。土台係合部４１４は、本例において、上側を向いたフック状（Ｌ字状）に構成されており、具体的には、取付部４１１から連続して、例えば取付部４１１に対して略垂直に、浴槽１０から離れるほうへ延在する、連結部４１２と、連結部４１２における浴槽１０から遠いほうの端部から上側へ延在しそこで終端する突起部４１３と、を有している。
図２及び図３に示すように、水受け本体４２は、上側が開放された箱状に構成されており、土台４１を介して浴槽側壁１００に対向配置される背壁４２５と、水受け装置４０の左右両側のサイド壁４２７と、背壁４２５よりも浴槽側壁１００から離れた位置で、背壁４２５と対向する前壁４２６とを、有している。背壁４２５、一対のサイド壁４２７、前壁４２６により、上側が開放された水受け空間Ｓが区画されている。水受け本体４２は、背壁４２５の下側部分に、本体係合部４２３を有している。本体係合部４２３は、土台係合部４１４に、上側から係合できるように構成されている。より具体的には、図３（ｂ）に示すように、浴槽側壁１００の壁厚方向（ひいては、取付部４１１の板厚方向）に沿う鉛直断面を観たときに、本体係合部４２３は、本例において、下側が開放された逆Ｕ字状に構成されており、その内部に、下側が開放された溝部４２３ｂを区画している。本体係合部４２３がフック状の土台係合部４１４に上側から掛けられることで、本体係合部４２３の溝部４２３ｂに土台係合部４１４の突起部４１３が差し込まれ、これにより、本体係合部４２３が土台係合部４１４に係合する。
【００２５】
このように、本実施形態では、本体係合部４２３が土台係合部４１４に上側から係合されることにより、水受け本体４２が土台４１に取り付けられるように構成されているので、例えば特許文献１のように水受け本体４２が土台４１にネジにより締結される場合や、水受け本体４２が浴槽１０に近づく方向に土台４１に装着される場合などに比べて、施工現場において狭い作業環境の中で水受け本体４２を土台４１に取り付ける作業がし易くなる。また、施工現場において、別の作業をするために、一時的に水受け本体４２を土台４１から取り外す際にも、取り外す作業がし易くなる。このように、水受け装置４０の施工性を向上できる。
また、本実施形態では、土台４１を全体的に薄くできるので、土台４１を浴槽１０に取り付けた状態で輸送する際に、土台４１が外部からの衝撃に対して外れにくく、また、浴槽１０どうしを重ね合わせた状態での輸送がし易くなる。また、土台４１の構造をシンプルにできるので、土台４１の製造が簡単となる。また、土台４１の取付部４１１が平板状であるので、広い接触面積をもって、取付部４１１を浴槽側壁１００に固定できる点でも、土台４１を浴槽１０から外れにくくすることができる。
【００２６】
なお、本例とは逆に、土台係合部４１４が、上側が開放されたＵ字状に構成されて、その内部に、上側が開放された溝部を区画し、本体係合部４２３が、下側を向いたフック状（逆Ｌ字状）又は下側に延在する突起状に構成されることにより、本体係合部４２３が土台係合部４１４に上側から係合可能に構成されてもよい。ただし、本例のように土台係合部４１４がフック状に構成される場合のほうが、土台４１を薄く構成でき、また、土台４１の構造をシンプルにできるので、好適である。
【００２７】
図２〜図４に示すように、本例において、水受け本体４２の背壁４２５は、水受け本体４２が土台４１に係合した状態において、土台４１の上側で浴槽１０側に突出する、浴槽接触部４２１を有している。図３に示すように、水受け本体４２が土台４１に係合した状態において、浴槽接触部４２１の浴槽側の面は、取付部４１１の浴槽側の面と面一となることで、浴槽１０の側壁外面１１０ａに接触し得るようにされている。これにより、水受け装置４０の上側に形成される貫通孔１１１から側壁外面１１０ａを伝って流れ落ちてくる漏水が水受け本体４２の背壁４２５と側壁外面１１０ａとの間を通ってスラブ２側に流れ落ちるのを抑制し、漏水が水受け本体４２の背壁４２５より水受け空間Ｓ側に流れるようにすることができる。このため、漏水を、水受け装置４０によって、より確実に受け止めることができる。
【００２８】
図３（ｂ）に示すように、本例では、水受け本体４２が土台４１に係合した状態において、本体係合部４２３と土台係合部４１４とは、緩い嵌合状態となるものであり、言い換えれば、本体係合部４２３と土台係合部４１４との間に遊び（隙間）があるようにされている。より具体的に、本例では、浴槽側壁１００の厚み方向（ひいては、取付部４１１の厚み方向）に沿う鉛直断面を観たときに、本体係合部４２３の溝部４２３ｂの溝幅が、土台係合部４１４の突起部４１３の板厚よりも、わずかに大きくされている。このため、突起部４１３が溝部４２３ｂに差し込まれた状態では、突起部４１３と溝部４２３ｂとの間に隙間が形成される。このようにすることで、例えば、水受け本体４２を土台４１に係合させる直前に、本体係合部４２３及び土台係合部４１４のうち少なくとも一方（例えば、土台係合部４１４の連結部４１２の上）にコーキング剤等の接着剤７０を塗布し、それから本体係合部４２３を土台係合部４１４に係合させれば、本体係合部４２３と土台係合部４１４との間の隙間に接着剤７０が入り込むことができるので、本体係合部４２３と土台係合部４１４とを接着剤７０によって接着させることが可能となる。これにより、水受け本体４２の土台４１への接続強度、ひいては水受け装置４０と浴槽１０との接続強度を、向上できる。
なお、本体係合部４２３と土台係合部４１４とが、遊びのない、ぴったりとした嵌合状態となるように設計することも可能ではあるが、その場合、製造上生じうる誤差によって、本体係合部４２３及び土台係合部４１４どうしが嵌らなくなるおそれもある。本例のようにすれば、本体係合部４２３及び土台係合部４１４どうしが嵌らなくなるおそれを回避しつつ、接着剤７０を用いることで、外部からの衝撃等によって水受け本体４２が土台４１から外れたり土台４１から位置ずれしたりするのを、さらに効果的に抑制できる。
【００２９】
図２及び図３（ｂ）に示すように、本例において、土台４１の取付部４１１は、取付部４１１を貫通する開口４１１ａを有している。本例では、取付部４１１の開口４１１ａは、連結部４１２の上側に配置されている。水受け本体４２が土台４１に係合した状態において、水受け本体４２の背壁４２５の一部は、取付部４１１の開口４１１ａを覆うように、開口４１１ａと対向する。このため、水受け本体４２の背壁４２５の一部は、取付部４１１の開口４１１ａを介して、浴槽側壁１００と対向することとなる。このようにすることで、例えば、水受け本体４２を土台４１に係合させる直前に、土台４１のうち開口４１１ａ近傍の部分、浴槽側壁１００のうち開口４１１ａに対向する部分、ならびに、水受け本体４２の背壁４２５のうち開口４１１ａ及びその近傍に対向する部分のうち、少なくともいずれか一つ（例えば、土台４１の連結部４１２の上）にコーキング剤等の接着剤７０を塗布し、それから本体係合部４２３を土台係合部４１４に係合させれば、接着剤７０が開口４１１ａ内に入り込むことができるので、開口４１１ａを介して、水受け本体４２、土台４１、及び浴槽１０どうしを接着剤７０により接着させることが可能となる。これにより、水受け装置４０と浴槽１０との接続強度を向上できる。このため、外部からの衝撃による水受け装置４０の破損、外れ及び位置ずれを、さらに効果的に抑制できる。また、この場合、仮に、浴槽１０の施工現場への納入前に土台４１を浴槽側壁１００に取り付ける際に、土台４１の取り付け強度を、その後の輸送時及び施工時に受け得る衝撃に耐えられるに必要最低限にとどめておいたとしても、施工現場において水受け本体４２を土台４１に取り付ける際に、接着剤７０によって土台４１と浴槽側壁１００とがさらに強固に接着固定されることとなるので、最終的な接着強度は十分となる。
【００３０】
本例では、土台係合部４１４及び本体係合部４２３のうち少なくとも一方は、水受け本体４２が土台４１に係合した状態において、本体係合部４２３が土台係合部４１４に対して水受け本体４２の左右方向に移動するのを規制できるように構成されている。
なお、水受け本体４２又は水受け装置４０の「左右方向」とは、水受け本体装置４０又は水受け装置４０から、浴槽１０とは反対側を観たときの、左右方向を指す。水受け本体４２又は水受け装置４０の「前方向」、「後方向」とは、水受け本体４２又は水受け装置４０から、浴槽１０とは反対側に向かう方向、浴槽１０に向かう方向を、それぞれ指す。
より具体的に、本例では、図４（ｂ）に示すように、本体係合部４２３の溝部４２３ｂと土台係合部４１４の突起部４１３とが、それぞれ、左右方向に直線状に延在しており、本体係合部４２３の溝部４２３ｂ内には、その左右両側に、上下に延在するリブ状の横ずれ規制部４２３ａが設けられている。これら一対の横ずれ規制部４２３ａどうしの左右方向距離は、土台係合部４１４の突起部４１３の左右方向幅よりも若干長くされている。そして、本体係合部４２３が土台係合部４１４に係合した状態では、突起部４１３が一対の横ずれ規制部４２３ａどうしの間に位置するようにすれば、突起部４１３の左右方向の移動が一対の横ずれ規制部４２３ａによって規制される。よって、水受け本体４２が土台４１に対して左右方向に位置ずれしにくくなる。
なお、横ずれ規制部４２３ａを設ける代わりに、本体係合部４２３の溝部４２３ｂと土台係合部４１４の突起部４１３とを、それぞれ、浴槽１０から離れる方向（水受け装置４０の前方）又は浴槽１０に近づく方向（水受け装置４０の後方）に向かって凸の湾曲状又は屈曲状に延在させるようにしても、本体係合部４２３が土台係合部４１４に対して水受け本体４２の左右方向に移動するのを規制できる。ただし、製造し易さの観点からは、本例のように溝部４２３ｂに横ずれ規制部４２３ａを設ける構成のほうがよい。
【００３１】
ところで、近年の浴槽のデザインの傾向としては、均一な肉厚をもって成形される浴槽側壁１００の内面及び外面が、曲面の部分を多く有するものが、見られるようになってきている。そのような浴槽の曲面の部分の形状は、浴槽の型ごとに異なっているのが現状である。水受け装置４０によって貫通孔１１１からの漏水を確実に受け止めるためには、水受け装置４０が浴槽側壁１００に密着している必要があるが、浴槽の側壁外面の形状が異なれば、それに合わせて水受け装置４０の形状も変える必要がある。
そこで、浴槽１０の形状の設計を、浴槽側壁１００のうち、少なくとも水受け装置４０に対向することとなる側壁部分で、浴槽側壁１００の肉厚を調整して、内面１００ｂが曲面であっても、外面１１０ａを平坦面にするとよい。例えば、本例では、図１及び図３に示すように、浴槽側壁１００のうち、水受け装置４０及び追焚き循環アダプタ５０の取り付け位置及びその近傍に対応する側壁部分１１０のみで、浴槽側壁１００の肉厚が他の部分のように均一ではなく、内面１１０ｂが鉛直断面及び水平断面で観たときに湾曲した曲面であり、外面１１０ａが平坦面である。そして、本例のように、水受け装置４０の浴槽１０側の面の形状を平坦にすることで、水受け装置４０を、この側壁部分１１０の平坦な外面１１０ａに密着させることができる。あらゆる型の浴槽１０の形状の設計を上述のようにすれば、水受け装置４０の形状を浴槽１０の型によって変える必要がないので、水受け装置４０をあらゆる型の浴槽１０に兼用できるようになる。
なお、浴槽側壁１００のうち、外面１１０ａが平坦面で内面１１０ｂが曲面であるような側壁部分１１０の外面１１０ａは、小さすぎると水受け装置４０や追焚き循環アダプタ５０の施工性が低下するおそれがあり、大きすぎると浴槽１０の成形に必要な材料が増えて、コスト増大に繋がるおそれがある。
このような観点から、外面１１０ａが平坦面で内面１１０ｂが曲面であるような側壁部分１１０の外面１１０ａは、図３（ａ）のような水平断面において外面１１０ａに沿って測ったときの外面１１０ａの延在長さが、例えば１５０〜３００ｍｍであると好適であり、例えば約２５０ｍｍであるとよい。
また、外面１１０ａが平坦面で内面１１０ｂが曲面であるような側壁部分１１０の外面１１０ａは、図３（ｂ）のような壁厚方向に沿う鉛直断面において外面１１０ａに沿って測ったときの外面１１０ａの延在長さが、例えば９０〜３００ｍｍであると好適であり、例えば約２５０ｍｍであるとよい。特に、図３（ｂ）のような壁厚方向に沿う鉛直断面において外面１１０ａに沿って測ったときの外面１１０ａの延在長さが、約１５０〜３００ｍｍ（例えば約２５０ｍｍ）である場合は、水受け装置４０の上側において追焚き循環アダプタ５０の設置位置も平坦にすることができる。一方、水受け装置４０の設置位置のみで平坦とする場合は、図３（ｂ）のような壁厚方向に沿う鉛直断面において外面１１０ａに沿って測ったときの外面１１０ａの延在長さは、約９０〜１１０ｍｍ（例えば約１００ｍｍ）とするとよい。
【００３２】
図１に示すように、本例では、浴槽１０の側壁１００が、上側に向かうにつれて徐々に浴槽１０の中心から離れるように、延在している。これに伴い、図３（ｂ）に示すように、浴槽１０の側壁外面のうち、土台４１の取り付け位置に対向する側壁外面部分１１０ａが、本例では上側に向かうにつれて徐々に浴槽１０の中心から離れる向きに、鉛直方向に対して傾斜した、平坦面からなる。本例では、このような側壁外面部分１１０ａに水受け装置４０を取り付けたときに、水受け本体２の上側開放端面４２２が略水平となるようにされている。具体的には、水受け本体４２が土台４１に係合した状態において、水受け本体２の上側開放端面４２２が略水平となるように指向させたとき、土台４１の取付部４１１は、鉛直方向に対して傾斜しており、その鉛直方向に対する鋭角側の傾斜角度は、土台４１の取り付け位置に対応する側壁外面部分１１０ａの鉛直方向に対する鋭角側の傾斜角度と、略同一にされている。これにより、土台４１が浴槽１０の側壁外面１１０ａに取り付けられ、かつ、水受け本体４２が土台４１に係合した状態において、土台４１の取付部４１１は、土台４１に対向する側壁外面部分１１０ａに平行に、鉛直方向に対して傾斜し、水受け本体４２の上側開放端面４２２は略水平となる。このようにすることにより、水受け本体４２の上側開放端面の面積を一定で考えたときに、例えば水受け本体２の上側開放端面４２２が略水平でない場合に比べて、水受け容量をより大きく確保できるので、貫通孔１１１からの漏水をより確実に受け止めることができる。
なお、図５（ａ）に変形例を示すように、浴槽側壁１００のうち、土台４１の取り付け位置に対応する側壁外面部分１１０ａは、鉛直方向に沿って延在していてもよい。その場合も、土台４１が浴槽１０の側壁外面１１０ａに取り付けられ水受け本体４２が土台４１に係合した状態において、取付部４１１はこの側壁外面部分１１０ａに平行であるとともに、水受け本体２の上側開放端面４２２が略水平となるようにされるとよい。
【００３３】
図３（ｂ）に示すように、本例において、水受け本体４２の内側に区画される水受け空間Ｓは、浴槽側壁１００の壁厚方向（ひいては、取付部４１１の板厚方向）に沿う鉛直断面を観たときに、概略的に、上底が下底よりも長く、下底が浴槽１０側に片寄ったような、略台形状をなしている。より具体的には、土台４１が浴槽１０の側壁外面１１０ａに取り付けられ、かつ、水受け本体４２が土台４１に係合した状態において、浴槽側壁１００の壁厚方向（ひいては、取付部４１１の板厚方向）に沿う鉛直断面を観たときに、水受け空間Ｓは、浴槽１０から遠ざかる間、水受け本体４２の上側開放端面４２２からの深さが一定である、深さ一定部Ｓ１と、深さ一定部Ｓ１における浴槽１０から遠いほうの端部から連続するとともに、浴槽１０から遠ざかるにつれて徐々に上側開放端面４２２からの深さが浅くなる、深さ漸減部Ｓ２と、を有している。深さ一定部Ｓ１の下端は、上側開放端面４２２に平行に延在する底壁４２８によって区画され、深さ漸減部Ｓ２の下端は、浴槽１０から遠ざかるにつれて徐々に上側に向かって延びる前壁４２６によって区画される。このような構成とすることで、例えば、水受け空間Ｓの前後方向の長さを一定として考えたときに、仮に水受け空間Ｓがその前後方向のほぼ全長にわたって深さ一定部Ｓ１からなる場合（ひいては、鉛直断面における水受け空間Ｓが略四角形状である場合）に比べて、水受け容量は少し低下するが、例えば水受け本体４２内に溜まった水の荷重やぶつかり等の衝撃によって、水受け本体４２の浴槽１０側の端部の周りで水受け本体４２に下向きに働くモーメントを、小さくできるので、その分、水受け本体４２や土台４１の外れをより抑制できる。また、例えば、水受け空間Ｓの前後方向の長さを一定として考えたときに、仮に水受け空間Ｓが、図５（ｂ）に示すような、その前後方向のほぼ全長にわたって深さ漸減部Ｓ２からなる場合（ひいては、鉛直断面における水受け空間Ｓが略三角形状である場合）に比べて、下向きの外力によるモーメントが少し大きくなるが、水受け容量を増大できる。このように、水受け空間Ｓが、深さ一定部Ｓ１と、その浴槽１０から遠い側の深さ漸減部Ｓ２とを有することにより、水受け本体４２の浴槽１０側の端部の周りで水受け本体４２に下向きに働くモーメントを十分に小さくでき、ひいては、水受け装置４０を浴槽１０から外れにくくできるとともに、水受け容量を十分に確保できる。
ただし、水受け本体４２は、水受け空間Ｓがその前後方向のほぼ全長にわたって深さ一定部Ｓ１からなる（ひいては、鉛直断面における水受け空間Ｓが略四角形状である）ものでもよい。あるいは、水受け本体４２は、図５（ｂ）に示すような、その前後方向のほぼ全長にわたって深さ漸減部Ｓ２からなる（ひいては、鉛直断面における水受け空間Ｓが略三角形状である）ものでもよい。なお、図５（ｂ）の例では、水受け本体４２は、底壁４２８を有していない。
また、図３（ｂ）、図５（ａ）、図５（ｂ）に示すように、水受け空間Ｓが深さ漸減部Ｓ２を有する場合、深さ漸減部Ｓ２の下端（ひいては水受け本体４２の前壁４２６）は、実線で示すように、浴槽１０から遠ざかるにつれて徐々に上側に向かうように、まっすぐに延びてもよいし、あるいは、二点鎖線で示すように、下側に凸の湾曲形状に沿って、浴槽１０から遠ざかるにつれて徐々に上側に向かって延びてもよい。後者の場合、水受け容量をさらに増大できる。
【００３４】
図３及び図４に示すように、本例において、水受け本体４２は、水受け本体４２の左右両側に、水受け空間Ｓから連続する排水通路４２４ａ有している。各排水通路４２４ａは、それぞれ、排水口４２４の内部に区画されている。本例において、両側の排水口４２４は、予め、末端部が塞がった状態とされており、ひいては、排水通路４２４ａが、排水口４２４の内部で終端した状態とされている。水受け装置４０は、点検口３１の位置によっては、浴槽側壁１００のうち、洗い場２０側から観て、本例のように左側の側壁部分１００Ｌに配置される場合と、エプロン３１に近接対向する側壁部分１００Ｆに配置される場合と、右側の側壁部分１００Ｒに配置される場合と、がある。水受け本体４２が左右両側に排出口４２４を有することによって、施工現場において、浴槽１０に対する水受け装置４０の配置などに応じて、一対の排水口４２４のうち、使い勝手のよいほうの排水口４２４を選択してホース６０に接続することができる。この際、使用するほうの排水口４２４の末端部をドリル等で開口させ、これにより、当該排水口４２４の排水通路４２４ａを水受け本体４２の外部に連通させてから、当該排水口４２４をホース６０に接続する。
図３及び図５の例のように、水受け本体４２の背壁４２５及び前壁４２６のうち少なくとも一方が鉛直方向に交わる方向に延在している場合、水受け本体４２の背壁４２５及び前壁４２６がリバーシブルではなく、すなわち、前壁４２６が浴槽１０側となるように水受け本体４２を浴槽１０に取り付けることができないので、左右両側に排水通路４２４ａがあることは、特に有利である。
なお、両側の排水口４２４は、予め、末端部が開口した状態とされ、ひいては、予め、排水通路４２４ａが、水受け本体４２の外部に連通された状態とされてもよい。その場合、施工現場において、使用しないほうの排水口４２４の末端部をキャップ等で塞ぐようにするとよい。
【００３５】
なお、水受け装置４０は、浴槽１０の下側に水受けパンを備えない洗い場付浴槽の浴槽１０以外にも、浴槽の下側に水受け構造体の無いような任意の浴槽に取り付けられると好適である。
【産業上の利用可能性】
【００３６】
本発明による水受け装置、水受け装置取り付け方法、及び、水受け装置取り付け構造は、例えば洗い場付浴槽に利用できる。
【符号の説明】
【００３７】
１：ユニットバス、  ２：スラブ、  １０：浴槽、  ２０：洗い場、  ３０：エプロン、  ３１：点検口、  ３２：貫通孔、  ４０：水受け装置、  ４１：土台、  ４２：水受け本体、  ５０：追焚き循環アダプタ、  ６０：ホース、  ７０：接着剤、  １００：浴槽の側壁、１００Ｌ、１００Ｒ、１００Ｆ、１１０：浴槽の側壁部分、  １１０ａ：外面、  １１０ｂ：内面、  １１１：貫通孔、  ４１１：取付部、  ４１１ａ：開口、  ４１２：連結部、  ４１３：突起部、  ４１４：土台係合部、  ４２１：浴槽接触部、  ４２２：上側開放端面、  ４２３：本体係合部、  ４２３ａ：横ずれ規制部、  ４２３ｂ：溝部、  ４２４：排水口、  ４２４ａ：排水通路、  ４２５：背壁、  ４２６：前壁、  ４２７：サイド壁、  ４２８：底壁、  Ｓ：水受け空間、  Ｓ１：深さ一定部、  Ｓ２：深さ漸減部
【図１】
2018054273.tif 000003
【図２】
2018054273.tif 000004
【図３】
2018054273.tif 000005
【図４】
2018054273.tif 000006
【図５】
2018054273.tif 000007